(57)【要約】【課題】本発明は、防水性、防暑性、防寒性、つまり着用快適性をケースバイケースで満足する優れたヘルメットフードを提供せんとするものである。【解決手段】本発明のヘルメットフードは、耳部、首後部および顎部を覆うヘルメットフードにおいて、該フードの表地は防水布帛で構成されており、かつ、該首後部には、着衣の衿部より長い寸法の垂れ部を有し、かつ、該フードはヘルメットと脱着自在に構成されていることを特徴とするものである。【選択図】　図１
2004137643.tif 000002
【特許請求の範囲】
【請求項１】
耳部、首後部および顎部を覆うヘルメットフードにおいて、該フードの表地は防水布帛で構成されており、かつ、該首後部には、着衣の衿部より長い寸法の垂れ部を有し、かつ、該フードはヘルメットと脱着自在に構成されていることを特徴とするヘルメットフード。
【請求項２】
該防水布帛が、ＪＩＳ　Ｌ　１０９９　Ａ−１法に基づいて測定される透湿度が１０００ｇ／ｍ２・２４時間以上である請求項１に記載のヘルメットフード。
【請求項３】
該防水布帛が、紫外線反射材料および紫外線吸収材料から選ばれた少なくとも１種が塗布されたものである請求項１または２に記載のヘルメットフード。
【請求項４】
該防水布帛が、通気性のあるメッシュ状布帛からなる裏地を有するものである請求項１〜３のいずれかに記載のヘルメットフード。
【請求項５】
該耳部が、該防水布帛からなる表地が円形に切り取られ、かつ、裏地に切れ目が入れられており、かつ、該裏地端面を重ね合わせられていることを特徴とする請求項１または４に記載のヘルメットフード。
【請求項６】
該内カバーの裏面に、ボタン、ホックおよび面ファスナーから選ばれた少なくとも１種が設けられており、これに起毛布帛または中綿入り布帛が脱着自在に係合されている請求項１〜５のいずれかに記載のヘルメットフード。
【請求項７】
該ヘルメットフードが、ヘルメット内装生地とファスナーで脱着自在に取り付けられるものである請求項１〜６のいずれかに記載のヘルメットフード。
【発明の詳細な説明】
【０００１】
【発明の属する技術分野】
本発明は、警察官や郵便配達員が使用しているバイク用ヘルメットにフードを取り付けることによって、雨が首筋に侵入するのを防止するとともに、真夏においては防暑性に優れ、冬においては防寒性に優れたヘルメットフードに関するものである。
【０００２】
【従来の技術】
従来のヘルメットは耳部のカバーが中心で、耳部に通気孔を有する毛皮をファスナーで取り付けた防寒用耳当て（特許文献１参照）や、保温シートによる防寒耳当て（特許文献２参照）などが知られている。また、従来から知られているヘルメット固定具としては、革製品、合成皮革、塩化ビニール樹脂加工織物を顎部、耳部と首部を覆って締め付けることで各部位の防護とヘルメットの脱落を防止すると共に耳部等の防寒を付与していた。
【０００３】
また、ヘルメットの内部に着用する垂れ付き頭巾を併用して、防水性や首筋の防暑性を付与するものも知られている（特許文献３参照）。
【０００４】
【特許文献１】実開昭６０−５２９１５号公報
【０００５】
【特許文献２】実公昭６２−４４９６８号公報
【０００６】
【特許文献３】実用新案登録第３０７６１２０号公報
【０００７】
【発明が解決しようとする課題】
しかしながら、前者の耳部中心のものでは、耳部の防寒性のみであり、夏の暑い日には使用できるものではなく、雨の日には、ヘルメットから落下する雨水を防ぐこともできなかった。
【０００８】
また、従来から使われているヘルメット固定具は、防水性、防寒性はあるものの、夏には蒸れて発汗して着用性が良くなかった。そして防水性があっても丈が短く、雨天では首筋に雨が入って不快なものであった。
【０００９】
また、垂れ付き頭巾は、防水性と防寒性はあるものの、夏に着用すると、頭部が蓄熱して暑くなり、不快なものであった。
【００１０】
本発明は、かかる従来技術の欠点に鑑み、雨水の首筋への侵入を防止すると共に首筋の防暑性、首部と耳部の防寒性、フード部の汗処理、蒸れ防止などに優れ、必要に応じて取り外しでき、汚れれば洗濯もできるなど、従来にはなかったヘルメットフードを提供せんとするものである。
【００１１】
【課題を解決するための手段】
本発明は、かかる課題を解決するために、次のような手段を採用する。すなわち、本発明のヘルメットフードは、耳部、首後部および顎部を覆うヘルメットフードにおいて、該フードの表地は防水布帛で構成されており、かつ、該首後部には、着衣の衿部より長い寸法の垂れ部を有し、かつ、該フードはヘルメットと脱着自在に構成されていることを特徴とするものである。
【００１２】
【発明の実施の形態】
本発明は、前記課題、つまり、防水性と防暑性または防寒性、汗処理などの着用性を満足する優れたヘルメットフードについて鋭意検討したところ、防水布帛により首後部、耳部、顎部を広く覆い、特に首後部に長い垂れ部を設けてみたところ、かかる課題を一挙に解決することを究明したものである。
【００１３】
すなわち、かかる手段によって、いずれの気候においても着用性に優れ、かつ転倒時には身体を防護性を付与し得たものである。
【００１４】
本発明のヘルメットフードの表地は、防水布帛で構成されているものである。かかる防水布帛としては、ナイロン繊維、ポリエステル繊維からなる合成繊維織物に、塩ビ樹脂などの合成樹脂を付与してなる防水加工した編織物を使用してもよく、更に快適性をよくするためには、該合成樹脂としてポリウレタン樹脂を使用し、かつ、湿式で防水加工したものが好ましく使用される。
【００１５】
かかるポリウレタン樹脂からなる防水布帛は、透湿性能を有し、ムレ感のない快適な防水性を有するので好ましい。すなわち、かかる防水布帛としては、ＪＩＳ　Ｌ　１０９９　Ａ−１法に基づいて測定される透湿度が、好ましくは１０００ｇ／ｍ２・２４時間以上、さらに好ましくは２０００ｇ／ｍ２・２４時間以上、特に好ましくは４０００ｇ／ｍ２・２４時間以上であるものが使用される。
【００１６】
また、該防水布帛に酸化チタン微粉末（平均粒度５〜２０μｍ）を３〜１０重量％ポリウレタン樹脂に混合してコーティング付与することにより、紫外線反射性、紫外線吸収性能を付与することができ、この防水布帛によれば、防暑性が改善されたものを提供することができる。
【００１７】
この防水布帛に裏地として、通気性のあるメッシュ状布帛を使用すれば、汗をかいても皮膚に触れる表面がべとつかず、蒸れ感も軽減されて、不快感がなくなるので好ましい。かかる裏地は、ポリエステル繊維から成る厚さ０．５〜１．５ｍｍ程度で、編目が１〜１０ｍｍの粗い編織物が好ましく使用され、中でもダブルラッセル編み地が最も好ましく使用される。
【００１８】
また、かかるフードの耳部においては、表地が円形に切り取られた構造のものが好ましく使用される。かかる構造にすると、メッシュ状の裏地のみで、耳がカバーされるため、外部音を容易に取込むことができ、安全性が向上するし、また、フードを付けた状態で、イヤホーンや通信機を使用したい場合は、該裏地に切れ目を入れて、切れ目から、かかるイヤホーンや通信機の端末を差し込めば、フードを外したり、ヘルメットを外さなくても使用することができるのでよい。この切れ目は、直線にして裏地端面を重ね合わせる構造とすることにより、表面からの雨の直接の侵入を防ぐことができ、外観の見栄えもよくてよい。
【００１９】
次に、該防水布帛からなる表地に裏地を取り付けてなるフードに、ボタン、ホックまたは面ファスナーを用いて、裏側から起毛布帛または中綿入り布帛を取付けることによって防寒性を向上させることができる。このように脱着自在にしたことによって、該起毛布帛や中綿入り布帛を、寒い時は取付け、暑い時は取り外して使用することができる。かかる起毛布帛としては、ポリエステル繊維から成るカットパイル編地やアクリル繊維から成るボアー、ウールボアーなどが暖かくて好ましい。また、中綿入り布帛としては、たとえばポリエステル不織布などを入れた中入綿が、嵩高性があり保温性に優れるので好ましく使用される。
【００２０】
かくして得られるヘルメットフードは、ヘルメット内装生地とファスナーを用いて取り付けることができ、このように脱着自在にすると、バイクから降りて長時間作業する時などには便利である。また、フードそのものがヘルメット内部に収まるので、いちいちファスナーで脱着しなくても、そのまま内部に納めてもよい。
【００２１】
本発明を図面により、以下説明する。
【００２２】
図１は、夏用のヘルメットフードの概略図である。
【００２３】
フード１にファスナー２を縫いつけ、垂れ部３は表地のみを使用し、その表地に切り口を入れた耳部４とボタン５からなるヘルメットフードである。
【００２４】
図２は、耳部４の裏地の重なり部の拡大概略図である。
【００２５】
裏地６と６’は５ｍｍ重ねられ、イヤホーンが入れられるようにしたものである。
【００２６】
図３は、冬用フードの概略図である。
【００２７】
図１のフード１に裏から５カ所のホック７で起毛布帛８を取り付けたヘルメットフードである。
【００２８】
【実施例】
以下、実施例により本発明を具体的に説明するが、本発明はこれらに限定されない。
【００２９】
実施例１
表地としてトリコット編機によりフロントにナイロン４４ｄｔｅｘを、バックにナイロン３３ｄｔｅｘを使用し、ハーフ編でウエル数５３目／２．５４ｃｍ、コース数７０目／２．５４ｃｍの密度で編地を作成し、この編地にポリウレタン樹脂を付着量１００ｇ／ｍ２　で湿式コーティングして防水布帛を作った。この防水布帛の透湿度は４０００ｇ／ｍ２・２４時間であった。
【００３０】
次に、裏地としてラッセル編機により編み糸にポリエステル５５ｄｔｅｘを、接結糸に、ナイロン糸７７ｄｔｅｘを用い、コース数４４目／２．５４ｃｍのダブルラッセル編地を作成した。
【００３１】
かかる表地と裏地を図１に示すように幅４４ｃｍ、丈１７０ｃｍに裁断し、重ね合せて、フードの上辺にナイロン製ファスナーを取り付けた。表地は耳部に直径５ｃｍの穴をくり抜き、その穴の端面はトリコット生地でパイピングして縁取りしてホツレを防止した。裏地は耳の中心部に２枚を重ね代５ｍｍになるように縦方向に重ねて縫製し、次に顎部で固定するテープを左右に取付けてヘルメットフードを形成した。
【００３２】
このヘルメットフードを、ヘルメットの内装材のバンドの後頭部に相対する位置に設けられたファスナーで、ヘルメットに取り付けた。
【００３３】
このようにして得られたヘルメットは、該フードによって、強いシャワーを掛けても首筋から水が入ることはなかった。また、直射日光下でフード有無の着用実験をしたところ暑さが和らぎ、汗をかくことがなく、運動して発汗してもべとつくこともなく快適に着用でき明らかにフードの効果が認められた。
【００３４】
実施例２
実施例１と同様にして表地の編み地を加工し、ポリウレタン樹脂に平均粒度１０μｍの酸化チタンを５重量％練り込み、湿式コーティングをして防水布帛を作った。この防水布帛の透湿度は３５００ｇ／ｍ２・２４時間であった。
【００３５】
次に、実施例１と同様にして、ヘルメットフードを形成し、ヘルメットに取り付けた。このヘルメットで、炎天下の下で着用試験を行った。
【００３６】
その結果、実施例１と同様に、快適であった。
【００３７】
実施例３
裏毛用台丸編機によりポリエステル１６５ｄｔｅｘを表糸、接結糸に使用し、裏毛糸にポリエステル５００ｄｔｅｘ−９６Ｆを用い、シンカーループを長くしてパイル編み地を加工し、パイルをカットして長さ１０ｍｍの起毛編地を得た。
【００３８】
この編地に図３のように実施例１のヘルメットフードにホックを５カ所取付け、このホックに起毛編地を取り付け、着用したところ、耳や首筋の保温性がよくなり、防寒性に優れたヘルメットフードが得られた。
【００３９】
比較例１
市販されている塩化ビニール製合成皮革製のフード付きのヘルメット（フードのカバー丈５ｃｍの首に密着したタイプ）を買い求めて着用評価した。
【００４０】
降雨時に雨衣を着ていても首筋から雨が侵入し不快であった。そこで雨衣の帽子を着用したところ前部首から雨が入り、頭部が蒸れて眼鏡が曇るなど不快感があった。
【００４１】
晴天時は直射日光が首筋に当たることは避けられたが、暑く汗ばみベトツキが発生し快適ではなかった。
【００４２】
また、冬季の寒い時は、このフードでは、着衣の衿を被覆できず、また、このフードのカバー丈のものでは、大きさも不足し、保温性も小さく防寒性がよくなかった。
【００４３】
【発明の効果】
本発明のヘルメットフードによれば、雨が首筋に侵入することを防げ、夏期の直射日光が首に当たる暑さが避けられ、ベトツキ感も軽減された。また、冬季には保温性が向上した。これらの部材は脱着自在であり季節や天候に応じて調整できる利点があり、これによりバイク乗車の署員や配達業務員に快適性を与えることができる。
【図面の簡単な説明】
【図１】この図は、本発明の夏用のヘルメットフードの概略図の一例である。
【図２】この図は耳部の裏地の重なり部の拡大概略図の一例である。
【図３】この図は、冬用ヘルメットフードの概略図の一例である。
【符号の説明】
１　　　：フード
２　　　：ファスナー
３　　　：垂れ部
４　　　：耳部
５　　　；ボタン
６、６’：裏地
７　　　：ホック
８　　　：起毛布帛
【図１】
2004137643.tif 000003
【図２】
2004137643.tif 000004
【図３】
2004137643.tif 000005